(57)【要約】  【課題】機器の置き方や向きが変更されても、塵埃が外部に出て、光学レンズ等に塵埃が付着することがないエアーフィルター清掃機構を提供する。  【解決手段】除塵体２１でプレフィルター１７から除去された塵埃を収納する集塵容器２９と、集塵容器２９に設けられ常時閉鎖している遮蔽手段３０を設け、除塵体２９の移動動作に連動して遮蔽手段３０が開くもので、プレフィルター１７から塵埃を除去した除塵体２１を集塵容器２９内に移動させたときに、遮蔽手段３０が開くようにすれば、除塵体２１が支障なく移動し、除塵体２１に付着した塵埃を集塵容器２９内に回収でき、また、除塵体２１を集塵容器２９外に移動させたときに遮蔽手段３０が閉じるようにすれば、集塵容器２９内の塵埃が外部に漏れず、エアーフィルター清掃機構２が搭載された機器内の光学レンズ（図示せず）などに塵埃が付着し、映像に塵埃の影が投影されることは無い。【選択図】図２
2011145459.tif 000002
【特許請求の範囲】
【請求項１】
エアーフィルターに付着した塵埃を除去する除塵体と、前記除塵体で除去された塵埃を収納する集塵容器と、前記集塵容器に設けられ常時閉鎖している遮蔽手段とを設け、前記除塵体の移動動作に連動して前記遮蔽手段が開くようにしたエアーフィルター清掃機構。
【請求項２】
遮蔽手段を、形状復元性を有する部材で形成した請求項１に記載のエアーフィルター清掃機構。
【請求項３】
除塵体が集塵容器内に移動する際に、前記除塵体より先に遮蔽手段に当接すると共に、前記遮蔽手段を押し開く開成手段を設けた請求項１又は２に記載のエアーフィルター清掃機構。
【請求項４】
遮蔽手段を、複数に分割された開閉自在の遮蔽体で構成し、前記遮蔽体のそれぞれの対向する端部をオーバーラップさせた請求項１〜３のいずれか１項に記載のエアーフィルター清掃機構。
【請求項５】
集塵容器内に、除塵体に付着した塵埃を除去する第２の除塵体を設けた請求項１〜４のいずれか１項に記載のエアーフィルター清掃機構。
【請求項６】
請求項１〜５のいずれか１項に記載のエアーフィルター清掃機構を備えたプロジェクター装置。
【発明の詳細な説明】
【技術分野】
【０００１】
本発明は、電子機器等に搭載されるエアーフィルター清掃機構及びそれを用いたプロジェクター装置に関するものである。
【背景技術】
【０００２】
従来のこの種のエアーフィルター清掃機構として、第１のフィルタ部と、第１のフィルタ部の吸気側に設けられたメッシュ状のスクリーンと、このスクリーンの表面に接触しながら移動して塵埃を除去するクリーニングブラシを含む第２のフィルタ部と、上記第２のフィルタ部に設けられ、塵埃を回収する塵受けトレーとから構成されたものがある（例えば、特許文献１参照）。
【先行技術文献】
【特許文献】
【０００３】
【特許文献１】特開２００５−２２１５８１号公報
【発明の概要】
【発明が解決しようとする課題】
【０００４】
しかしながら、上記特許文献１に記載されたような従来のエアーフィルター清掃機構の構成では、塵受けトレーは、上面が開口し、スクリーンのクリーニング時にクリーニングブラシで除去されて落下してくる塵埃を受けるようになっているので、そのエアーフィルター清掃機構を搭載した映像表示装置の運転時に、エアーフィルターに、冷却用の外気を取り入れるための吸引力が作用したときに、塵受けトレー内の塵埃が吸い出されてスクリーンに再付着するといった課題があった。
【０００５】
また、エアーフィルター清掃機構を搭載した映像表示装置をひっくり返して置いたり、側面を下にして立てたときに、塵受けトレー内の塵埃が、容易に外にこぼれ落ち、多量の塵埃がエアーフィルターに再付着する。この状態でエアーフィルターをクリーニングすると、クリーニングブラシで多量の塵埃をエアーフィルターに押し付けてしまうので、エアーフィルターを通過して、映像表示装置内部に侵入する塵埃が格段に増える。このような塵埃の再付着と清掃を繰り返すことにより、映像表示装置内部の光学レンズやミラーなどの表面に塵埃が付着し、映像に塵埃の影が投影されるなどの課題もあった。
【０００６】
また、再付着によって塵埃が堆積すると発熱部品の冷却効果が低下し、誤動作や故障の原因になるという課題もあった。
【０００７】
本発明は、上記従来の課題を解決するもので、効率よくエアーフィルターに付着した塵埃を除去すると共に、エアーフィルター清掃機構が搭載された機器の置き方が変わっても、除去された塵埃が外に洩れ出ることがなく、又塵埃が、エアーフィルターに再付着したり、機器内部の光学レンズやミラーなどの表面に付着して投影映像の品質を悪化させることも無い、信頼性の高いエアーフィルター清掃機構及びプロジェクター装置を提供することを目的とするものである。
【課題を解決するための手段】
【０００８】
上記従来の課題を解決するために、本発明のエアーフィルター清掃機構は、エアーフィルターに付着した塵埃を除去する除塵体と、前記除塵体で除去された塵埃を収納する集塵容器と、前記集塵容器に設けられ常時閉鎖している遮蔽手段とを設け、前記除塵体の移動動作に連動して前記遮蔽手段が開くようにしたもので、エアーフィルターに付着した塵埃をこそぎ取るようにして除去した除塵体を集塵容器内に移動させたときに、遮蔽手段が開くようにすれば、除塵体が集塵容器内に支障なく移動し、除塵体に付着した塵埃が集塵容器内に落下し、回収することができる。また、除塵体を集塵容器外に移動させたときに遮蔽手段が閉じるようにすれば、集塵容器内の塵埃が外部に漏れ出ることが無い。従って、エアーフィルター清掃機構が搭載されたプロジェクター装置等の光学機器内部の光学レンズやミラーなどの表面に塵埃が付着し、映像に塵埃の影が投影されるなどの問題が発生しない。また、集塵容器内の塵埃がエアーフィルターに再付着することもない。
【０００９】
又、本発明のプロジェクター装置は、請求項１〜５のいずれか１項に記載のエアーフィルター清掃機構を備えたもので、プロジェクター装置の使用時に、塵埃が外部に漏れることを気にすることなく、プロジェクター装置を好きな方向で立てて使用でき、使用勝手の良いプロジェクター装置を提供できる。
【発明の効果】
【００１０】
本発明のエアーフィルター清掃機構は、効率よくエアーフィルターに付着した塵埃を除去すると共に、集塵容器に回収した塵埃が外に洩れず、しかもエアーフィルターに再付着することも無いため、常に、空気をスムーズに通過させることができる。また、本発明のプロジェクター装置は、その置き方が変わっても、除去された塵埃が外に洩れ出て、エアーフィルターに再付着することが無いので、プロジェクター装置内を冷却するための外気をスムーズに導入できる。また、エアーフィルターに再付着することが無いので、プロジェクター装置内に侵入する塵埃も大幅に軽減され、また、プロジェクター装置内部の光学レンズやミラーなどの表面に塵埃が付着し、映像に塵埃の影が投影されることも無く、信頼性の高いものである。
【図面の簡単な説明】
【００１１】
【図１】本発明の第１の実施例におけるエアーフィルター清掃機構を搭載したプロジェクター装置の外観斜視図
【図２】同プロジェクター装置の分解斜視図
【図３】図１のＡ−Ａ断面図
【図４】（ａ）同エアーフィルター清掃機構の集塵容器の斜視図、（ｂ）図４（ａ）のＣ−Ｃ断面図、
【図５】（ａ）図１のＢ−Ｂ断面図（プレフィルターの清掃開始時の様子を示す）、（ｂ）図１のＢ−Ｂ断面図（プレフィルターの清掃完了直後の様子を示す）
【図６】同エアーフィルター清掃機構の除塵体の端部の裏面図
【図７】（ａ）同エアーフィルター清掃機構の第２の除塵体の斜視図、（ｂ）同第２の除塵体の他の例を示す斜視図、（ｃ）同第２の除塵体の他の例を示す斜視図
【図８】（ａ）本発明の第２の実施例におけるエアーフィルター清掃機構の除塵体の裏面斜視図、（ｂ）同除塵体と集塵容器の斜視図、（ｃ）同除塵体と集塵容器の部分断面図、（ｄ）同除塵体の他の例を示す裏面斜視図
【図９】（ａ）同プロジェクター装置を立てた状態での集塵容器の断面図、（ｂ）同集塵容器の断面図（除塵体が侵入又は退出するときの様子を示す）
【発明を実施するための形態】
【００１２】
第１の発明は、エアーフィルターに付着した塵埃を除去する除塵体と、前記除塵体で除去された塵埃を収納する集塵容器と、前記集塵容器に設けられ常時閉鎖している遮蔽手段とを設け、前記除塵体の移動動作に連動して前記遮蔽手段が開くようにしたもので、エアーフィルターに付着した塵埃をこそぎ取るようにして除去した除塵体を集塵容器内に移動させたときに、遮蔽手段が開くようにすれば、除塵体が集塵容器内に支障なく移動し、除塵体に付着した塵埃が集塵容器内に落下し、回収することができる。また、除塵体を集塵容器外に移動させたときに遮蔽手段が閉じるようにすれば、集塵容器内の塵埃が外部に漏れ出ることが無い。従って、エアーフィルター清掃機構が搭載されたプロジェクター装置等の光学機器内部の光学レンズやミラーなどの表面に塵埃が付着し、映像に塵埃の影が投影されるなどの問題が発生しない。また、集塵容器内の塵埃がエアーフィルターに再付着することもない。
【００１３】
第２の発明は、特に、第１の発明の遮蔽手段を、形状復元性を有する部材で形成したもので、バネやヒンジを構成する部品が不要となり、遮蔽手段を安価に構成できる。
【００１４】
第３の発明は、特に、第１又は第２の発明の除塵体が集塵容器内に移動する際に、前記除塵体より先に遮蔽手段に当接すると共に、前記遮蔽手段を押し開く開成手段を設けたもので、除塵体が集塵容器内に移動する際、除塵体が遮蔽手段に当接しないので、除塵体の集塵容器内への移動がスムーズにでき、しかも、衝撃が加わることが無いので、除塵体に付着した塵埃が、集塵容器外でこぼれることも無い。
【００１５】
第４の発明は、特に、第１〜３のいずれか一つの発明の遮蔽手段を、複数に分割された開閉自在の遮蔽体で構成し、前記遮蔽体のそれぞれの対向する端部をオーバーラップさせたもので、開閉時に遮蔽体の端部近傍に付着した塵埃を開閉時に確実に集塵容器内に押し込めることができ、塵埃の密閉性（ごみこぼれ防止）が向上する。
【００１６】
また、遮蔽体のそれぞれの対向する端部を付き合せて、集塵容器の密閉性を保つようにするのと比べ、組み立て精度がラフで済むので、安価に構成できる。
【００１７】
第５の発明は、特に、第１〜４のいずれか一つの発明の集塵容器内に、除塵体に付着した塵埃を除去する第２の除塵体を設けたもので、除塵体に塵埃が付着したまま残るということが無いので、エアーフィルターの清掃効率が向上し、しかも塵埃のエアーフィルターへの再付着を防止できる。
【００１８】
第６の発明に係るプロジェクター装置は、請求項１〜５のいずれか１項に記載のエアーフィルター清掃機構を備えたもので、プロジェクター装置の使用時に、塵埃が外部に漏れることを気にすることなく、プロジェクター装置を好きな方向で立てて使用でき、使用勝手の良いプロジェクター装置を提供できる。
【００１９】
以下、本発明の実施例について、図面を参照しながら説明する。尚、この実施例によって本発明が限定されるものではない。
【実施例１】
【００２０】
図１は、本発明の第１の実施例におけるエアーフィルター清掃機構を搭載したプロジェクター装置の外観斜視図、図２は、同プロジェクター装置の分解斜視図、図３は、図１のＡ−Ａ断面図、図４（ａ）は、同エアーフィルター清掃機構の集塵容器の斜視図、図４（ｂ）は、図４（ａ）のＣ−Ｃ断面図、図５（ａ）は、図１のＢ−Ｂ断面図（プレフィルターの清掃開始時の様子を示す）、図５（ｂ）は、図１のＢ−Ｂ断面図（プレフィルターの清掃完了直後の様子を示す）、図６は、同エアーフィルター清掃機構の除塵体の裏面図、図７（ａ）は、同エアーフィルター清掃機構の第２の除塵体の斜視図、図７（ｂ）は、同第２の除塵体の他の例を示す斜視図、図７（ｃ）は、同第２の除塵体の他の例を示す斜視図である。
【００２１】
図１〜６において、１は、本実施例におけるエアーフィルター清掃機構２（以下「清掃機構２」という）を内蔵したプロジェクター装置で、その本体１ａの外郭は、本体ケース１ｂと、本体ケース１ｂの一側面に設けた開口１ｃを覆うと共に、本体ケース１ｂにネジ３でネジ止めされるカバー１ｄから構成されている。カバー１ｄには、開閉自在の蓋体４と、空気を取り入れるための吸気口５が設けられている。本体１ａの前部には、画像を投射する投射レンズを有する投射体６が設けられ、カバー１ｄと反対側の側面には、排気口１ｅが設けられている。
【００２２】
本体１ａの内部には、多数の電子部品等から成り投射体６により投射される画像を光学的に処理する画像表示素子体７と、画像表示素子体７に電力を供給する電源基板体８と、本体１ａ内の温度や圧力等を検知するセンサー９と、プロジェクター装置１の動作を制御する制御基板１０と、カバー１ｄとの間に、清掃機構２を収納する清掃機構収納室１１を形成すると共に、その清掃機構収納室１１と、電源基板体８や制御基板１０などを収納する部分とをほぼ隙間なく仕切るための仕切り壁１２と、排気口１ｅに対向して設けられると共に本体１ａ内の空気を排出するためのファン１５と、ファン１５を回転駆動するモータ１６が内蔵されている。
【００２３】
仕切り壁１２は、略長方形状の開口１２ａを有すると共に、その開口１２ａの開口縁には、枠体１２ｂが一体に形成されている。この枠体１２ｂには、上流側から、すなわちカバー１ｄ側から順に、塵埃を捕集するプレフィルター１７と、九十九折り状でプレフィルター１７で捕集し切れなかった細塵を捕集するメインフィルター１８がほぼ隙間なく取り付けられている。
【００２４】
１９は、プロジェクター装置１を操作するための操作スイッチで、２０は、ＬＥＤなどから構成され、プロジェクター装置１の運転状態を表示する告知部である。
【００２５】
次に、本実施例における清掃機構２の詳細について述べる。
【００２６】
図２において、本実施例における清掃機構２は、主に、プレフィルター１７に付着した塵埃を除去する除塵体２１と、除塵体２１を、プレフィルター１７の上流側表面（カバー１ｄ側の表面）に沿って移動させる移動手段２２と、後述の集塵容器２９から構成されている。
【００２７】
移動手段２２は、除塵体２１の両側を摺動自在に支持して、除塵体２１の移動をガイドする一対のレール２３と、回転自在の歯付きプーリー２４と駆動プーリー２５に張架されたタイミングベルト２６と、駆動プーリー２５を回転駆動するモータＢ２７から構成され、除塵体２１の一端は、タイミングベルト２６の一部に固着され、駆動プーリー２５が回転すると、タイミングベルト２６が移動すると共に、除塵体２１が、プレフィルター１７上を移動するようになっている。
【００２８】
除塵体２１の端部の、その移動方向と直行する方向には、図６に示すように、下端がプレフィルター１７の上流側表面に摺接して、プレフィルター１７に付着した塵埃を除去する除塵片２８が延設されている。
【００２９】
図４において、２９は、除塵体２１の除塵片２８で除去した塵埃を貯めておく集塵容器で、プレフィルター１７の端部近傍に配されている。集塵容器２９の除塵体２１側の側面には、開口２９ａが設けられ、その開口２９ａには、紙、ゴムシート、硬質板、ブラシ、バネ付きのプラスチック板などの、形状復元性を有する部材から形成されると共に上下方向で２つに分割され開閉自在の遮蔽体３０ａからなり、それぞれの対向する端部がオーバーラップした遮蔽手段３０が設けられている。
【００３０】
本実施例では、除塵体２１が集塵容器２９側に向かって移動し、除塵体２１が遮蔽手段３０に当接し、更に移動すると、遮蔽手段３０が除塵体２１で押し広げられ、除塵体２１の除塵片２８が、集塵容器２９内に侵入するようになっている。
【００３１】
集塵容器２９の一端には、内部に溜まった塵埃を廃棄する際に開閉する蓋３１が設けられている。
【００３２】
また、集塵容器２９の内部底面の長手方向には、図７（ａ）に示すような第２の除塵体３２が延設されている。この第２の除塵体３２は、基材３２ａと、基材３２ａに、後方斜めに植毛又は、固着されたブラシ状の除塵部材３２ｂから構成され、除塵体２１の除塵片２８が集塵容器２９内に入ってきたときに、先端が接触し、除塵片２８が戻る際に、それに付着した塵埃をこそぎ取るためのものである。
【００３３】
なお、図７（ｂ）に示すように、櫛歯状に形成した除塵部材３２ｃを用いれば、除塵片２８の深部に挟まった塵埃も容易に除去することができる。
【００３４】
更には、図７（ｃ）に示すように、除塵部材３２ｄを、入手容易な面ファスナーで形成するようにすれば、安価に、しかも容易に組み立てることができる。
【００３５】
以上のように構成された本実施例における清掃機構２及び、それを搭載したプロジェクター装置１の作用、動作は以下の通りである。
【００３６】
操作スイッチ１９を操作することにより、プロジェクター装置１を使用することができる。プロジェクター装置１を運転している間、あるいは、使用直後の所定の冷却期間の間は、モータ１６で回転駆動されるファン１５により、外気が、カバー１ｄに設けた吸気口５から吸引され、プレフィルター１７、メインフィルター１８、仕切り壁１２の開口１２ａを通過して、本体１ａ内に入り、内部の電源基板体８、制御基板１０、画像表示素子体７等の発熱部品を冷却した後、本体１ａに設けた排気口１ｅから排気される。
【００３７】
外気に含まれた塵埃は、プレフィルター１７で捕集され、プレフィルター１７で捕集し切れなかった細塵は、メインフィルター１８で捕捉される。したがって、本体１ａ内に塵埃が侵入することが無いので、内部の電源基板体８や制御基板１０に塵埃が堆積して誤動作や故障の原因になるということは無い。特に、本実施例では、除塵体２１でプレフィルター１７の表面から除去され、集塵容器２９で回収された塵埃がプレフィルター１７に再付着し、それが、除塵体２１で押し付けられるようにして、プレフィルター１７を通過し、更にはメインフィルター１８を通過することが無いので、プロジェクター装置１内に位置する光学レンズ（図示せず）やミラー（図示せず）などの表面に付着し、投射された映像に塵埃の影が投影されるなどといった問題は発生しない。
【００３８】
このようにして、プロジェクター装置１を長期間使用していると、プレフィルター１７が次第に塵埃で目詰まりし、外気が本体１ａ内に入り難くなって、本体２ａ内の電源基板体８、制御基板１０、画像表示素子体７等の発熱部品の冷却効果が低下してくるが、本実施例では、本体１ａ内の温度や圧力を検知するセンサー９を設けて、空気の流れが悪くなって本体１ａ内の温度が所定の温度を超えたり、空気が本体１ａ内に入り難くなって、本体１ａ内の空気圧力が所定の値以下になったことを検知すると、プレフィルター１７を清掃するために、制御基板１０が移動手段２２の動作を開始させる。
【００３９】
移動手段２２の動作開始時には、図５（ａ）に示すように、除塵体２１は、プレフィルター１７の、集塵容器２９とは反対側の端部に位置している（図５（ａ）では、左端の位置。以下、この位置を「初期位置」という）。
【００４０】
そして、移動手段２２の動作が開始すると、モータＢ２７が回転し、タイミングベルト２６が移動開始し、同時に除塵体２１が、集塵容器２９側に向かって移動する。除塵体２１が、プレフィルター１７上を移動している間に、プレフィルター１７の上流側に付着していた塵埃は、除塵体２１の除塵片２８で擦りとられると共に、除塵片２８に付着する。そして、除塵体２１がプレフィルター１７の集塵容器２９側の端部に達すると、除塵体２１の先端が、集塵容器２９の開口２９ａの上下に設けた一対の遮蔽体３０ａに当接し、除塵体２１がさらに移動すると、図５（ｂ）に示すように、遮蔽体３０ａを押し広げると共に、除塵体２１の除塵片２８が、集塵容器２９内に入り、その先端が、第２の除塵体３２に接触し、除塵体２１に付着した塵埃３５が、第２の除塵体３２で除去され、集塵容器２９内に落下する。
【００４１】
そして、モータＢ２７が逆転して、除塵体２１を逆方向に移動させ、除塵体２１を開口２９ａから取り出すと、形状復元性を有する遮蔽体３０ａが、図５(ａ)に示すように元の位置に戻って、開口２９ａを閉塞する。除塵体２１が初期位置まで戻りきると、モータＢ２７の運転が停止し、次回のプレフィルター１７の清掃に備える。
【００４２】
そして、プレフィルター１７が塵埃で再度目詰まりすると、センサー９がそれを検知して、上記清掃動作が繰り返される。
【００４３】
このようにして、プレフィルター１７の清掃を何度か繰り返す内に、集塵容器２９内が塵埃で一杯になるが、その場合は、カバー１ｄに設けた蓋体４を開いて、着脱自在の集塵容器２９を取り出し、集塵容器２９に設けた蓋３１を開いて、中に溜まった塵埃３５を簡単に廃棄することが出来る。
【００４４】
以上のように、本実施例では、プレフィルター１７に付着した塵埃をこそぎ取るようにして除去した除塵体２１を集塵容器２９内に移動させたときに、遮蔽手段３０が開くので、除塵体２１は、集塵容器２９内に支障なく移動し、除塵体２１に付着した塵埃３５が集塵容器２９内に落下するので、塵埃３５を確実に回収することができる。
【００４５】
また、除塵体２１を、初期位置まで戻すために集塵容器２９外に移動させたときに、遮蔽手段３０が閉じるので、集塵容器２９内の塵埃が外部に漏れ出ることが無い。従って、塵埃がプレフィルター１７およびメインフィルター１８を通過して、清掃機構２を搭載したプロジェクター装置１内部の光学レンズ（図示せず）の表面に塵埃が付着し、映像に塵埃の影が投影されるなどの問題が発生することはない。
【００４６】
また、本実施例では、集塵容器２９を、プレフィルター１７の一方の端部の近傍、すなわち、プレフィルター１７の吸気範囲外に配置しているので、プレフィルター１７の有効濾過面積が集塵容器２９で減らされることが無く、また、プレフィルター１７の清掃のためにプレフィルター１７上を移動させた除塵体２１を更に移動させるだけで集塵容器２９内に塵埃を搬送できるので、移動手段２２の構成を簡略することができる。また、集塵容器２９は、着脱自在なので、集塵容器２９内に溜まった塵埃３５の廃棄作業が容易になる。
【００４７】
また、遮蔽手段３０を、形状復元性を有する部材、例えば、紙、ゴムシート、硬質板、ブラシ、バネ付きのプラスチック板などで形成することで、バネやヒンジを構成する部品が不要となり、遮蔽手段３０を安価に構成できる。
【００４８】
また、遮蔽手段３０を、複数に分割された遮蔽体３０ａで構成し、前記遮蔽体３０ａのそれぞれの対向する端部をオーバーラップさせているので、遮蔽手段３０の開閉時に遮蔽体３０ａの端部近傍に付着した塵埃も開閉時に確実に集塵容器２９内に押し込めることができ、塵埃の密閉性（ごみこぼれ防止）が向上する。
【００４９】
また集塵容器２９内に、除塵体２１の除塵片２８に付着した塵埃を除去する第２の除塵体３２を設けたので、除塵体２１に塵埃が付着したまま残るということが無いので、プレフィルター１７の清掃効率が向上し、しかも塵埃のプレフィルター１７への再付着を防止できる。
【００５０】
なお、上記実施例では、センサー９で、本体１ａ内の温度や、圧力の変化を検知して、プレフィルター１７の目詰まり状態を検知して、自動でプレフィルター１７の清掃運転を行うようにしたが、操作スイッチ１９の一つに、プレフィルター１７の清掃運転を手動で行うためのスイッチを設けて、必要に応じて、手動で、プレフィルター１７の清掃運転ができるようにしても良い。
【実施例２】
【００５１】
図８（ａ）は、本発明の第２の実施例における清掃機構の除塵体の裏面斜視図、図８（ｂ）は、同除塵体と集塵容器の斜視図、図８（ｃ）は、同除塵体と集塵容器の部分断面図である。なお、上記第１の実施例におけるエアーフィルター清掃機構と同一部分には、同一符号を付してその説明を省略する。
【００５２】
本実施例におけるエアーフィルター清掃機構は、図８に示すように、除塵体２１の端部の両側に、その除塵体２１が集塵容器２９内に移動する際に、除塵体２１より先に遮蔽手段３０に当接して、それを押し開くと共に、少なくとも除塵片２８の幅分（移動方向と同一方向での長さ分）に渡って、遮蔽体３０ａを広げた状態で維持するための開成手段３４を設けたもので、他の構成は、上記第１の実施例における清掃機構２と同一である。
【００５３】
以上のように、本実施例によれば、除塵体２１が集塵容器２９内に移動する際、除塵体２１が遮蔽手段３０に当接しないので、除塵体２１の集塵容器２９内への移動がスムーズにでき、しかも、衝撃が加わることが無いので、除塵体２１の除塵片２８に付着した塵埃が、集塵容器２９外でこぼれることも無い。
【００５４】
なお、上記実施例では、図８（ａ）に示すように、開成手段３４の長さ（除塵体２１の移動方向と同一方向での長さ）を、除塵体２１の長さの半分より長く形成したが、図８（ｄ）に示す開成手段３４ａのように、除塵片２８の両側の部分だけに設けた短いものでも良い。
【００５５】
このように開成手段３４ａを除塵片２８の近傍だけに形成すると、除塵片２８が集塵容器２９内に入り終わると同時に遮蔽体３０ａが閉じる。そして、除塵片２８が集塵容器２９内から出る時には、開成手段３４ａによって遮蔽体３０ａが押し開かれ、除塵片２８が集塵容器２９から出ると同時に遮蔽体３０ａが閉じる。以上ように、開成手段３４ａを除塵片２８の近傍だけに形成すると、除塵片２８が集塵容器２９へ出入りする時のみ遮蔽体３０ａが開閉するので、塵埃の密閉性（ごみこぼれ防止）が向上する。
【００５６】
図９は、上記実施例で述べたプロジェクター装置１を、投射体６が下側になるように、具体的には、例えば、プロジェクター装置１を、天井よりつるして、映像を床面に投射するようにした場合の、集塵容器２９の断面図を示すもので、図９（ａ）は、除塵体２１が集塵容器２９内に入る前の状態を示している。このような状態では、上記第１の実施例でも述べたように、対向する端部が重なり合った２つの遮蔽体３０ａで、塵埃３５が外部に漏れないようになっている。
【００５７】
そして、除塵体２１が集塵容器２９内に侵入するとき、或いは、除塵体２１が集塵容器２９から抜け出るときは、図９（ｂ）に示すように、開成手段３４（又は３４ａ）で遮蔽体３０ａを上方に押し拡げることになるので、集塵容器２９内の塵埃３５は、集塵容器２９の内壁とそれぞれの遮蔽体３０ａとの間で保持され、下方に位置する開口２９ａから塵埃が零れ落ちることがない。
【００５８】
さらにまた、開成手段３４が戻り、遮蔽体３０aが初期の状態に重なることになるが、開成手段３４の先端形状、あるいは遮蔽体３０aの長さ等を細工することにより、たえず初期の状態に重なり合うよう工夫している。
【００５９】
以上のように、上記実施例で述べた清掃機構２を搭載したプロジェクター装置１は、プロジェクター装置１の使用時に、塵埃が外部に漏れることを気にすることなく、プロジェクター装置を好きな方向で立てて使用でき、非常に使用勝手の良いものである。
【産業上の利用可能性】
【００６０】
以上のように、本発明に係るエアーフィルター清掃機構は、効率よくエアーフィルターに付着した塵埃を除去すると共に、集塵容器に回収した塵埃が外に洩れず、しかもエアーフィルターに再付着することも無い。また、本発明に係るプロジェクター装置は、その置き方が変わっても、除去された塵埃が外に洩れ出て、光学レンズの表面に付着し、映像に塵埃の影が投影されることも無く、信頼性の高いものである。
【符号の説明】
【００６１】
１  プロジェクター装置
２  エアーフィルター清掃機構（清掃機構）
１７  プレフィルター（エアーフィルター）
１８  メインフィルター
２１  除塵体
２２  移動手段
２８  除塵片
２９  集塵容器
３０  遮蔽手段
３０ａ  遮蔽体
３２  第２の除塵体
３４、３４ａ  開成手段
３５  塵埃
【図１】
2011145459.tif 000003
【図２】
2011145459.tif 000004
【図３】
2011145459.tif 000005
【図４】
2011145459.tif 000006
【図５】
2011145459.tif 000007
【図６】
2011145459.tif 000008
【図７】
2011145459.tif 000009
【図８】
2011145459.tif 000010
【図９】
2011145459.tif 000011